(57)【要約】【課題】個々のコンテンツ特有の管理項目に変更があっても、共通する項目については変更することなくシステムの改善をできるようにすること。【解決手段】本発明は、複数種類のコンテンツを格納するデータベースＤＢと、複数種類のコンテンツに各々対応してデータベースＤＢへの各コンテンツの格納やデータベースＤＢから各コンテンツの送出を制御する複数のコンテンツ制御アプリケーションソフトウェアと、複数のコンテンツ制御アプリケーションソフトウェアに対応して共通で設けられ、各コンテンツをデータベースＤＢ内で管理する際に用いられる共通の項目について一元的に管理する共通データ管理アプリケーションソフトウェアＡＰ００とを備える放送システムである。【選択図】図１
2008130057.tif 000002
【特許請求の範囲】
【請求項１】
複数種類のコンテンツを格納するデータベースと、
前記複数種類のコンテンツに各々対応して前記データベースへの各コンテンツの格納や前記データベースから各コンテンツの送出を制御する複数のコンテンツ制御アプリケーションソフトウェアと、
前記複数のコンテンツ制御アプリケーションソフトウェアに対応して共通で設けられ、各コンテンツを前記データベース内で管理する際に用いられる共通の項目について一元的に管理する共通データ管理アプリケーションソフトウェアと
を備えることを特徴とする放送システム。
【請求項２】
前記共通データ管理アプリケーションソフトウェアが管理する共通の項目は、前記複数種類のコンテンツについてその種類とは関係なく共通で定義される項目である
ことを特徴とする請求項１記載の放送システム。
【請求項３】
前記共通データ管理アプリケーションソフトウェアが管理する共通の項目は、コンテンツのデータファイルの識別符号、前記データファイルの全再生時間内における主要データの開始時、終了時、再生時間、データファイルの入力機器名、出力機器名、前記データファイルの収録開始時刻、前記主要データの送出開始時刻、前記全再生時間内における開始側余分データの時間、終了側余分データの時間を含む
ことを特徴とする請求項１記載の放送システム。
【発明の詳細な説明】
【技術分野】
【０００１】
本発明は、放送システムに関し、コンテンツを管理する際のベースメタデータ、付加メタデータを抽出、定義し、異なる種類のコンテンツであっても統一的に管理することができる放送システムに関する。
【背景技術】
【０００２】
放送システムは、複数種類のコンテンツをデータベースに管理しておき、予めプログラムされたタイミングでコンテンツを送出したり、収録したりするもので、データベースとの間で連続的なデータの入出力を行うことが必要とされる。
【０００３】
ここで、通常の放送においては、コンテンツとしてＣＭ・番組・ニュースなど用途によってデータベースに管理されており、各コンテンツに対応したアプリケーションソフトウェアによってコンテンツのデータファイルを管理している。
【０００４】
図５は、従来の放送システムを説明する模式図である。すなわち、この放送システムでは、主としてＣＭ送出システムＳ１’、番組送出システムＳ２’、ニュース送出システムＳ３’の複数種類のコンテンツを送出するためのシステムが組み合わされた構成となっており、各システムにデータベースＤＢ１〜ＤＢ３が設けられ、各々のコンテンツのデータファイルを各システムのデータベースＤＢ１〜ＤＢ３にそれぞれ格納して管理している。
【０００５】
また、この放送システムでは、ＣＭ・番組・ニュースなど用途によって、各々メタデータ、ワークフローが異なるため、別々のアプリケーションソフトウェア（素材管理アプリケーション、収録／プレビューアプリケーション、送出アプリケーション）を開発して運用している。また、ひとつのシステムでも、ユーザの要求によってメタデータが異なることがあり、素材のメタデータに関して各データベースＤＢ１〜ＤＢ３で同じテーブルによって管理を行っている（例えば、特許文献１、２参照。）。
【０００６】
【特許文献１】特開２００２−５１０２２号公報
【特許文献２】特開２００４−３４３５５７号公報
【発明の開示】
【発明が解決しようとする課題】
【０００７】
しかしながら、このような従来の放送システムでは、複数種類のコンテンツに対して各々別個のアプリケーションソフトウェアによって運用していることから、コンテンツのメタデータが変わるたびに、データベース、データ構造を再設計しなくてはならず、プログラムの改修量が大きくなり、開発時間の長期化、開発コストの増大、既存システムの品質に大きな影響を及ぼすことになる。
【課題を解決するための手段】
【０００８】
本発明はこのような課題を解決するために成されたものである。すなわち、本発明は、複数種類のコンテンツを格納するデータベースと、複数種類のコンテンツに各々対応してデータベースへの各コンテンツの格納やデータベースから各コンテンツの送出を制御する複数のコンテンツ制御アプリケーションソフトウェアと、複数のコンテンツ制御アプリケーションソフトウェアに対応して共通で設けられ、各コンテンツをデータベース内で管理する際に用いられる共通の項目について一元的に管理する共通データ管理アプリケーションソフトウェアとを備える放送システムである。
【０００９】
ここで、共通データ管理アプリケーションソフトウェアが管理する共通の項目としては、複数種類のコンテンツについてその種類とは関係なく共通で定義される項目であり、例えば、コンテンツのデータファイルの識別符号、前記データファイルの全再生時間内における主要データの開始時、終了時、再生時間、データファイルの入力機器名、出力機器名、前記データファイルの収録開始時刻、前記主要データの送出開始時刻、前記全再生時間内における開始側余分データの時間、終了側余分データの時間を含むものである。
【００１０】
このような本発明では、複数種類のコンテンツについてデータベースで管理するにあたり、コンテンツの種類に関係しない共通の項目を一元的に管理する共通データ管理アプリケーションソフトウェアを用いるため、各種のコンテンツを利用する場合には共通データ管理アプリケーションソフトウェアだけで各種のコンテンツを制御できるようになる。
【００１１】
具体的には、データファイルの管理項目であるメタデータを、送出制御処理に依存する/しないに区別して定義し、依存の有無によってメタデータを別々に管理するように設計する。そして、収録、プレビュー、送出制御処理は、関連のないメタデータを参照しないようにアプリケーションを設計する。
【発明の効果】
【００１２】
したがって、本発明によれば、異なる種類のコンテンツの放送システムでも収録、プレビュー、送出制御の処理を共通化することが可能となる。このため、個々のコンテンツ特有の管理項目に変更があっても、共通する項目については変更することなくシステムの改善を行うことが可能となり、開発労力の低減、開発期間の短縮、さらには開発コストの削減を図ることが可能となる。
【発明を実施するための最良の形態】
【００１３】
以下、本発明の実施の形態を図に基づき説明する。図１は、本実施形態に係る放送システムの構成を説明する模式図である。本実施形態の放送システムでは、複数種類のコンテンツについて収録、プレビュー、送出等の制御を行うにあたり、各種のコンテンツのデータファイルをデータベースＤＢで管理して、このデータベースＤＢから予め設定されたプログラムに応じてコンテンツのデータファイルを入出力する機能を備えている。
【００１４】
この機能は、コンピュータで実行されるプログラム処理によって実現される。したがって、本実施形態に係る放送システムも、各機能をコンピュータによって実行されるプログラムによって実現され、プログラム部分については所定の媒体（ＣＤ−ＲＯＭ、ＤＶＤ等）やネットワークを介して流通、配信され得るものとなる。
【００１５】
ここで、以下における本実施形態の説明では、複数のコンテンツとしてＣＭ、番組、ニュースの素材を例とするが、これ以外の素材を利用する場合であっても適用可能である。また、各コンテンツのデータファイルを管理するための項目をメタデータ、複数のメタデータのうち各種のコンテンツで共通するものをベースメタデータ、各種のコンテンツで固有のものを付加メタデータと言うものとする。
【００１６】
すなわち、図１に示す本実施形態の放送システムでは、各コンテンツに応じてＣＭ送出システムＳ１、番組送出システムＳ２およびニュース送出システムＳ３が設けられ、各システムが一つのデータベースＤＢを参照して各コンテンツのデータファイルの入出力を行うとともに、各種のコンテンツについてベースメタデータを一元的に管理する共通データ管理アプリケーションソフトウェアＡＰ００によって、ベースメタデータを用いたデータファイルの管理を行っている。
【００１７】
放送システムにおける各コンテンツのシステムには、コンテンツ制御アプリケーションソフトウェアが設けられており、各コンテンツのデータファイルをデータベースＤＢから呼び出して送出する制御を行っている。
【００１８】
例えば、ＣＭ送出システムＳ１には、ＣＭ素材管理アプリケーションＡＰ１１や他アプリケーションＡＰ１２が実行され、データベースＤＢ内に格納されるＣＭ素材データについての送出、格納等の管理を行っている。また、番組送出システムＳ２には、番組素材管理アプリケーションＡＰ２１が実行され、データベースＤＢ内に格納されている番組素材データについての送出、格納等の管理を行っている。また、ニュース送出システムＳ３には、ニュース素材管理アプリケーションＡＰ３１が実行され、データベースＤＢ内に格納されているニュース素材データについての送出、格納等の管理を行っている。
【００１９】
共通データ管理アプリケーションソフトウェアＡＰ００は、収録／プレビューアプリケーションＡＰ０１と送出アプリケーションＡＰ０２とを備えている。いずれのアプリケーションも各種コンテンツのデータファイルであるＣＭ素材データ、番組素材データ、ニュース素材データの管理を行う際のメタデータのうち、共通の項目となるベースメタデータを一元的に用いて管理を行っている。
【００２０】
ここで、ベースメタデータとしては、コンテンツのデータファイルの識別符号（素材ＩＤ）、データファイルの全再生時間内における主要データの開始時（ＳＯＭ）、終了時（ＥＯＭ）、再生時間（ＤＵＲ）、データファイルの入力機器名（ＩＮＰＵＴ  ＤＥＶＩＣＥ）、出力機器名（ＯＵＴＰＵＴ  ＤＥＶＩＣＥ）、データファイルの収録開始時刻（ＩＮＧＥＳＴ  ＴＩＭＥ）、主要データの送出開始時刻（ＰＬＡＹＯＵＴ  ＩＴＭＥ）、全再生時間内における開始側余分データの時間（ＰＲＥＲＯＬＬ）、終了側余分データの時間（ＰＯＳＴＲＯＬＬ）を含んでいる。
【００２１】
図２は、ベースメタデータについて説明する模式図である。図中帯グラフはデータベース内に格納されるコンテンツのデータファイルを示している。１つのデータファイルは、全再生時間内において主要データと余分データとから構成される。主要データは実際に送出の対象となるデータ部分（ＣＭ素材や番組素材、ニュース素材の本編にあたる部分）、余分データは、主要データの前後にある送出対象とならない部分である。
【００２２】
この余分データは、主要データの始めより前にある開始側余分データと、主要データの終わりより後にある終了側余分データとからなり、開始側余分データの時間がＰＲＥＲＯＬＬ、終了側余分データの時間がＰＯＳＴＲＯＬＬとなる。
【００２３】
ベースメタデータにおけるＳＯＭは、全再生時間内における主要データの開始時、ＥＯＭは主要データの終了時、ＤＵＲは主要データの再生時間を示している。また、このデータファイルを入力した機器の名称がＩＮＰＵＴ  ＤＥＶＩＣＥ、データファイルの出力先の機器の名称がＯＵＴＰＵＴ  ＤＥＶＩＣＥとなる。さらに、データファイルの収録開始時刻であるＩＮＧＥＳＴ  ＴＩＭＥ、主要データの送出開始時刻がＰＬＡＹＯＵＴ  ＩＴＭＥとなる。
【００２４】
データファイルを送出する際には、全再生時間内における主要データの開始時を指定することになる。この開始時は、主要データの始めと一致する場合もあるが、主要データの中の必要なポイントを指定することもできる。
【００２５】
また、各コンテンツについて特有のメタデータである付加メタデータは、例えば次のようなものから成る。すなわち、ＣＭ素材データについて特有のメタデータ（付加メタデータ）としては、ＣＭ素材コード、スポンサー名、ＣＭ名称などがあり、番組素材データについて特有のメタデータ（付加メタデータ）としては、番組素材コード、収録ＤＵＲ、番組名、本編情報などがあり、ニュース素材データについて特有のメタデータ（付加メタデータ）としては、素材コード、取材記者名、カメラマン名、取材場所などがある。
【００２６】
本実施形態では、ベースメタデータを共通データ管理アプリケーションソフトウェアＡＰ００で一元的に管理し、収録／プレビューアプリケーションＡＰ０１や送出アプリケーションＡＰ０２がベースメタデータを用いて各種コンテンツのデータファイルについてデータベースＤＢから入出力する制御を行う。
【００２７】
また、付加メタデータについては、各コンテンツのシステムにおけるアプリケーションが個別に利用する。例えば、ＣＭ素材データの付加メタデータはＣＭ送出システムＳ１のＣＭ素材アプリケーションＡＰ１１や他アプリケーションＡＰ１２が利用し、番組素材データの付加メタデータは番組送出システムＳ２の番組素材管理アプリケーションＡＰ２１が利用し、ニュース素材データの付加メタデータはニュース送出システムＳ３のニュース素材管理アプリケーションＡＰ３１が利用する。
【００２８】
このように、各種のコンテンツのデータファイルを管理するにあたり、共通項目であるベースメタデータについては共通データ管理アプリケーションソフトウェアＡＰ００で一元的な管理を行うようにすると、各種コンテンツ独自の項目（付加メタデータ）について追加、変更、削除があってもベースメタデータを取り扱う共通データ管理アプリケーションソフトウェアＡＰ００は全く影響を受けることがなくなる。
【００２９】
具体的なメタデータの定義としては、各メタデータについてコンテンツの収録、プレビュー、送出制御処理に依存する/しないを抽出し、定義を行う。その結果、素材ＩＤ、ＳＯＭ、ＥＯＭ、ＤＵＲ、ＩＮＰＵＴ  ＤＥＶＩＣＥ、ＯＵＴＰＵＴ  ＤＥＶＩＣＥ、ＩＮＧＥＳＴ  ＴＩＭＥ、ＰＬＡＹＯＵＴ  ＴＩＭＥ、ＰＲＥＲＯＬＬ、ＰＯＳＴＲＯＬＬをベースメタデータとして定義し、それ以外のメタデータは付加メタデータと定義する。
【００３０】
データベースＤＢ内では、ベースメタデータが独立して管理され、素材ＩＤによって各種コンテンツの付加メタデータが紐付け管理されている。
【００３１】
そして、収録、プレビュー、送出制御処理は、共通データ管理アプリケーションソフトウェアＡＰ００がベースメタデータを使って処理する。それ以外のアプリケーション、ＧＵＩレイヤでは、ベースメタデータ、付加メタデータを参照する。
【００３２】
付加メタデータは、項目の拡張性があるので、従来のデータベーステーブルカラムに各項目を定義する手法を使用せず、ＸＭＬ手法を使うことで必要を応じて使う側がＸＭＬファイルを展開して定義を行うことができる。
【００３３】
放送システムでは、コンテンツの種類が異なるシステムでも、基本的な制御である、収録、プレビュー、送出というワークフローが同じことが多い。したがって、これらの制御に必要なベースメタデータを一元管理し、これらの制御に必要のない付加メタデータに変更があっても、基本的な制御に関わる機能の改修を行わずに済むようになる。
【００３４】
図３は、収録／プレビューアプリケーションのユーザインタフェース画面の例を示す図である。収録／プレビューアプリケーションは、新たなコンテンツを収録もしくは収録したコンテンツのプレビューを行うために実行されるもので、画面の一部に対象となるコンテンツのベースメタデータと、拡張メタデータ（必要に応じて入力する項目）とが表示されている。
【００３５】
新たなコンテンツの収録を行う場合には、新規収録コマンドを実行する。これにより、新たな画面（ウィンドウ）が表示され、自動的に素材ＩＤが入力される。そして、ユーザは、ベースメタデータの各項目（ここでは、ＳＯＭ、ＥＯＭ、ＤＵＲ、ＩＮＰＵＴ  ＤＥＶＩＣＥ、ＩＮＧＥＳＴ  ＴＩＭＥ、ＰＲＥＲＯＬＬ、ＰＯＳＴＲＯＬＬを入力し、必要に応じて拡張メタデータの項目を入力する。なお、コンテンツの収録を行うことで自動的に入力される項目や、収録後に適宜入力、修正する項目もある。
【００３６】
また、コンテンツのプレビューを行う場合には、収録済みのファイルを指定することで、それに対応したベースメタデータの各項目や拡張メタデータの各項目が表示される。
【００３７】
図４は、送出アプリケーションのユーザインタフェース画面の例を示す図である。この画面表示では、送出対象となっているコンテンツのデータファイルがリスト形式で表示され、画面上から下にかけて順次対象のコンテンツが送出されていくことになる。
【００３８】
画面には、各コンテンツのデータファイルに対応してベースメタデータである素材ＩＤ、ＰＬＡＹＯＵＴ  ＴＩＭＥ、ＤＵＲ、ＳＯＭ、ＥＯＭ、ＯＵＴＰＵＴ  ＤＥＶＩＣＥが表示され、拡張メタデータとしてＳＴＡＴＵＳ、ＣＯＭＥＮＴ、ＯＴＨＥＲＳが表示される。
【００３９】
そして、所定のタイミングで送出対象のコンテンツは、各送出システム（ＣＭ送出システムＳ１、番組送出システムＳ２、ニュース送出システムＳ３）における素材管理アプリケーション（ＣＭ素材管理アプリケーションＡＰ１１、番組素材管理アプリケーションＡＰ２１、ニュース素材管理アプリケーションＡＰ３１）によってデータベースＤＢ内の各素材データ（ＣＭ素材データ、番組素材データ、ニュース素材データ）を読み出し、送出する制御を行う。
【００４０】
図３、図４に示すいずれのユーザインタフェース画面でも、ベースメタデータについての取り扱いは収録／プレビューアプリケーションや送出アプリケーションがデータベースに一元管理されているベースメタデータを構築もしくは参照することで行われる。
【図面の簡単な説明】
【００４１】
【図１】本実施形態に係る放送システムの構成を説明する模式図である。
【図２】ベースメタデータについて説明する模式図である。
【図３】収録／プレビューアプリケーションのユーザインタフェース画面の例を示す図である。
【図４】送出アプリケーションのユーザインタフェース画面の例を示す図である。
【図５】従来の放送システムを説明する模式図である。
【符号の説明】
【００４２】
Ｓ１…ＣＭ送出システム、Ｓ２…番組送出システム、Ｓ３…ニュース送出システム、ＡＰ００…共通データ管理アプリケーションソフトウェア、ＡＰ０１…収録／プレビューアプリケーション、ＡＰ０２…送出アプリケーション、ＤＢ…データベース
【図１】
2008130057.tif 000003
【図２】
2008130057.tif 000004
【図３】
2008130057.tif 000005
【図４】
2008130057.tif 000006
【図５】
2008130057.tif 000007